(57)【特許請求の範囲】
【請求項１】
外部電源が入力するＤＣ／ＤＣコンバータと、
該ＤＣ／ＤＣコンバータの出力が、電源入力に入力する電子回路とを具備し、
前記ＤＣ／ＤＣコンバータの前記出力の電圧である変換電圧は前記電子回路の前記電源入力の電圧の推奨動作条件の中心値より低く、
前記ＤＣ／ＤＣコンバータの変換効率をη、前記電子回路の前記電源入力の電圧の推奨動作条件の中心値をＶｃ、前記変換電圧をＶｃ（１−λ）としたとき、
η＞１−λ
であることを特徴とする電子装置。
【請求項２】
外部電源が入力するＤＣ／ＤＣコンバータと、
該ＤＣ／ＤＣコンバータの出力が、電源入力に入力する電子回路とを具備し、
前記ＤＣ／ＤＣコンバータの前記出力の電圧である変換電圧は前記電子回路の前記電源入力の電圧の推奨動作条件の中心値より低く、
前記ＤＣ／ＤＣコンバータの変換効率をη、前記電子回路の前記電源入力の電圧の推奨動作条件の中心値をＶｃ、前記変換電圧をＶｃ（１−λ）、前記電子回路の前記電源入力の電圧が前記変換電圧のときの前記電子回路の消費電流がＩｃ（１−γ）としたとき、
η＞１−（λ＋γ）
であることを特徴とする電子装置。
【請求項３】
前記変換電圧は前記電子回路の前記電源入力の電圧の推奨動作条件の下限値であることを特徴とする請求項１または２記載の電子装置。
【請求項４】
前記ＤＣ／ＤＣコンバータの前記出力を前記ＤＣ／ＤＣコンバータのフィードバック端子にフィードバックするフィードバック回路を具備することを特徴とする請求項１から３のいずれか一項記載の電子装置。
【請求項５】
請求項１から４記載の電子装置を含むことを特徴とする光半導体モジュール。
【請求項６】
電子回路を有する電子装置の制御方法において、
外部電源が入力するステップと、
前記外部電源の電圧を前記電子回路の電源入力の電圧の推奨動作条件の中心値より低い電圧である変換電圧に変換するステップと、
前記変換電圧を前記電子回路の前記電源入力に入力するステップと、を有し、
前記外部電源の電圧を変換電圧に変換するステップの変換効率をη、前記電子回路の前記電源入力の電圧の推奨動作条件の中心値をＶｃ、前記ＤＣ／ＤＣコンバータの前記出力の電圧をＶｃ（１−λ）としたとき、
η＞１−λ
であることを特徴とする電子装置の制御方法。
【請求項７】
電子回路を有する電子装置の制御方法において、
外部電源が入力するステップと、
前記外部電源の電圧を前記電子回路の電源入力の電圧の推奨動作条件の中心値より低い電圧である変換電圧に変換するステップと、
前記変換電圧を前記電子回路の前記電源入力に入力するステップと、を有し、
前記外部電源の電圧を変換電圧に変換するステップの変換効率をη、前記電子回路の前記電源入力の電圧の推奨動作条件の中心値をＶｃ、前記ＤＣ／ＤＣコンバータの前記出力の電圧をＶｃ（１−λ）、前記電子回路の前記電源入力の電圧がＶｃ（１−λ）のときの前記電子回路の消費電流がＩｃ（１−γ）としたとき、
η＞１−（λ＋γ）
であることを特徴とする電子装置の制御方法。
【請求項８】
前記外部電源の電圧を変換電圧に変換するステップは、前記外部電源の電圧を前記電子回路の前記電源入力の電圧の推奨動作条件の下限値の電圧に変換する変換ステップであることを特徴とする請求項６または７記載の電子装置の制御方法。
【発明の詳細な説明】
【技術分野】
【０００１】
本発明は、電子装置およびその制御方法並びに光半導体モジュールに関し、特に、ＤＣ／ＤＣコンバータを有する電子装置およびその制御方法並びに光半導体モジュールに関する。
【背景技術】
【０００２】
電子回路を有する電子装置はさまざまな分野に広く用いられている。電子装置に組み込まれる電子回路は、例えばＩＣなどの半導体装置として供給されている。電子回路には推奨動作条件として規定された範囲の電源電圧が供給されている。推奨動作条件とは電子回路の供給者が補償する動作条件である。よって、電子回路を電子装置に組み込む際は、推奨動作条件の範囲内の電源電圧を供給することとなる。
【０００３】
従来の電子装置につき、以下に説明する。図１は電子回路５０を有する電子装置６０ａのブロック図である。電子装置６０ａは複数の電子回路５０を有する場合もあるが、ここでは１つの電子回路５０を有する場合について説明する。電子回路５０の電源入力の電圧推奨動作条件はＶｃ（１±α）である。すなわち、電子回路５０の電源入力の電圧の推奨動作条件の中心値はＶｃであり、推奨動作条件の下限値はＶｍｉｎ＝Ｖｃ（１−α）、推奨動作条件の上限値はＶｍａｘ＝Ｖｃ（１＋α）である。電子回路５０にＶｃ、ＶｍｉｎおよびＶｍａｘが入力したときの電子回路５０の消費電流はそれぞれＩｃ、Ｉｍｉｎ＝Ｉｃ（１−β）およびＩｍａｘ＝Ｉｃ（１＋β）である。電子回路５０の電源入力は、電子装置６０ａ外の外部電源およびグランドに直接接続される。一般的には、電子回路５０の電源入力の電圧はＶｃで供給される。
【０００４】
図２は、一般的に用いられる外部電源の電圧について説明するための図である。電子回路５０の電源入力電圧の推奨動作条件は図２の左側のように、Ｖｃを中心にＶｍｉｎからＶｍａｘの範囲Ｖ１である。電源電圧の変動（その値をＶｓとする）を考慮すると、電子回路５０の電源入力として使用できる範囲はＶｍｉｎ＋ＶｓからＶｍａｘ−Ｖｓの範囲Ｖ２である。さらに、外部電源から電子回路５０までのコネクタや基板配線での電圧降下Ｖｄを考慮すると、外部電源から供給される電圧の範囲はＶｍｉｎ＋Ｖｓ＋ＶｄからＶｍａｘ−Ｖｓ＋Ｖｄの範囲Ｖ３となる。このように、電源電圧の変動を考慮すると、外部電源の電圧はＶｃ付近で使用される。さらに電圧降下の影響が大きい場合には、外部電源の電圧はＶｃ＋Ｖｄ付近で使用される。
【０００５】
電圧降下の影響は考えず、電子装置６０ａの外部電源からＶｃが供給された場合、電子回路５０の電源入力の電圧はＶｃであり、電子装置６０ａ（すなわち電子回路５０）の電力Ｐは、
Ｐ＝Ｖｃ×Ｉｃ        式１
となる。
【０００６】
また、この電子装置６０ａにおいて、電子回路５０の電源入力の推奨動作条件を満足するため許容される外部電源の最大値はＶｍａｘである。外部電源からＶｍａｘが供給された場合、電子回路５０の最大電力Ｐｍａｘは、
Ｐｍａｘ＝Ｖｃ（１＋α）×Ｉｃ（１＋β）    式２
となる。このように、外部電源の電圧が変動すると、電子装置６０ａの電力が変動する。
【０００７】
また、特許文献１にはＤＣ／ＤＣコンバータの一例が開示されている。
【０００８】
【特許文献１】特開２００５−２４５１５２号公報
【発明の開示】
【発明が解決しようとする課題】
【０００９】
電子装置においては、電子回路の消費電力を低減することが求められている。そこで、本発明は、電子回路の消費電力を低減させることが可能な電子装置およびその制御方法並びに光半導体モジュールを提供することを目的とする。
【課題を解決するための手段】
【００１０】
本発明は、外部電源が入力するＤＣ／ＤＣコンバータと、該ＤＣ／ＤＣコンバータの出力が、電源入力に入力する電子回路とを具備し、前記ＤＣ／ＤＣコンバータの前記出力の電圧である変換電圧は前記電子回路の前記電源入力の電圧の推奨動作条件の中心値より低く、前記ＤＣ／ＤＣコンバータの変換効率をη、前記電子回路の前記電源入力の電圧の推奨動作条件の中心値をＶｃ、前記変換電圧をＶｃ（１−λ）としたとき、η＞１−λであることを特徴とする電子装置である。本発明によれば、電子装置の消費電力を削減することができる。
【００１２】
また、上記構成において、前記ＤＣ／ＤＣコンバータの変換効率をη、前記電子回路の前記電源入力の電圧の推奨動作条件の中心値をＶｃ、前記変換電圧をＶｃ（１−λ）、前記電子回路の前記電源入力の電圧が前記変換電圧のときの前記電子回路の消費電流がＩｃ（１−γ）としたとき、η＞１−（λ＋γ）である構成とすることができる。この構成によれば、電子装置の消費電力をより削減することができる。
【００１３】
上記構成において、前記変換電圧は前記電子回路の前記電源入力の電圧の推奨動作条件の下限値である構成とすることができる。この構成によれば、電子装置の消費電力をより削減することができる。
【００１４】
上記構成において、前記ＤＣ／ＤＣコンバータの前記出力を前記ＤＣ／ＤＣコンバータのフィードバック端子にフィードバックするフィードバック回路を具備する構成とすることができる。この構成によれば、ＤＣ／ＤＣコンバータの出力をより高精度とすることができる。よって、前記電子回路の電源入力の電圧の推奨動作条件の下限値により近い電圧を入力することが可能となる。これにより、より電子装置の消費電力をより削減することができる。
【００１５】
本発明は、上記電子装置を含むことを特徴とする光半導体モジュールである。本発明によれば、低消費電力化の要求が強い光半導体モジュールにおいても、効率的に消費電力の削減を行うことができる。
【００１６】
本発明は、電子回路を有する電子装置の制御方法において、外部電源が入力するステップと、前記外部電源の電圧を前記電子回路の電源入力の電圧の推奨動作条件の中心値より低い電圧である変換電圧に変換するステップと、前記変換電圧を前記電子回路の前記電源入力に入力するステップと、を有し、前記外部電源の電圧を変換電圧に変換するステップの変換効率をη、前記電子回路の前記電源入力の電圧の推奨動作条件の中心値をＶｃ、前記ＤＣ／ＤＣコンバータの前記出力の電圧をＶｃ（１−λ）としたとき、η＞１−λであることを特徴とする電子装置の制御方法である。本発明によれば、電子装置の消費電力を削減することができる。
【００１８】
上記構成において、前記外部電源の電圧を変換電圧に変換するステップの変換効率をη、前記電子回路の前記電源入力の電圧の推奨動作条件の中心値をＶｃ、前記ＤＣ／ＤＣコンバータの前記出力の電圧をＶｃ（１−λ）、前記電子回路の前記電源入力の電圧がＶｃ（１−λ）のときの前記電子回路の消費電流がＩｃ（１−γ）としたとき、η＞１−（λ＋γ）である構成とすることができる。この構成によれば、電子装置の消費電力をより削減することができる。
【００１９】
上記構成において、前記外部電源の電圧を変換電圧に変換するステップは、前記外部電源の電圧を前記電子回路の前記電源入力の電圧の推奨動作条件の下限値の電圧に変換する変換ステップである構成とすることができる。この構成によれば、電子装置の消費電力をより削減することができる。
【発明の効果】
【００２０】
本発明によれば、電子回路の消費電力を低減させることが可能な電子装置およびその制御方法並びに光半導体モジュールを提供することができる。
【発明を実施するための最良の形態】
【００２１】
以下に、図面を参照に本発明の実施例について説明する。
【実施例１】
【００２２】
図３は実施例１のブロック図である。図１の従来例に比べ、実施例１に係る電子装置６０は変換効率ηのＤＣ／ＤＣコンバータ２０を有している。外部電源がＤＣ／ＤＣコンバータ２０の入力ｉｎに入力し、ＤＣ／ＤＣコンバータ２０の出力ｏｕｔが電子回路５０の電源入力に入力する。外部電源の電圧は例えばＶｃであるが、任意の電圧とすることができる。ＤＣ／ＤＣコンバータ２０は任意の入力を変換電圧Ｖｃｏｎとして電子回路５０に供給する。ここで、ＤＣ／ＤＣコンバータの出力の精度はＶｃ×α（Ｖｃ−Ｖｍｉｎ）に対し十分高精度な場合、外部電源がＶｃから変動しても、ＤＣ／ＤＣコンバータ２０はＶｃｏｎを十分安定に出力することができる。よって、電子回路５０の電源入力には推奨動作条件の下限値であるＶｍｉｎとすることができる。このとき、外部電源にＶｃが供給されているときの電子装置６０の電力Ｐは、
Ｐ＝（Ｖｃ（１−α）×Ｉｃ（１−β））／η      式３
である。
また、外部電源からＶｍａｘが供給された場合、電力Ｐｍａｘは、
Ｐｍａｘ＝（Ｖｃ（１−α）×Ｉｃ（１−β））／η      式４
である。このように、図１の従来の電子装置６０ａと異なり、外部電源が変動しても、電子装置６０の消費電力は一定である。
【００２３】
例えば、図４のように、電子回路５０の電源入力の推奨動作条件が３．３Ｖ±５％、電源入力に３．３Ｖ±５％が入力したときの消費電流が０．３Ａ±３％であり、ＤＣ／ＤＣコンバータ２０の変換効率ηが９５％、出力が３．３Ｖ×０．９５＝３．１３５Ｖであり、外部電源が変動を含め３．３Ｖ±５％の場合について説明する。このとき、図１の従来の電子装置６０ａにおいては、式１および式２より、
Ｐ＝３．３Ｖ×０．３Ａ＝０．９９Ｗ
Ｐｍａｘ＝（３．３Ｖ×１．０５）×（０．３Ａ×１．０３）＝１．０７Ｗ
となる。一方、実施例１に係る電子装置６０においては、式３および式４より、
Ｐ＝（３．３Ｖ×０．９５）×（０．３Ａ×０．９７）／η＝０．９６Ｗ
Ｐｍａｘ＝（３．３Ｖ×０．９５）×（０．３Ａ×０．９７）／η＝０．９６Ｗ
となる。このように、実施例１に係る電子装置６０によれば、従来の電子装置６０ａと同じ外部電源を用いた場合も、消費電力を削減することができる。
【００２４】
このように、実施例１によれば、ＤＣ／ＤＣコンバータ２０の出力ｏｕｔの電圧を電子回路５０の電源入力の電圧の推奨動作条件の中心値Ｖｃより低くする。これにより、上記のように、電子装置６０の消費電力を削減することができる。
【００２５】
また、電子装置６０の消費電力が従来の電子装置６０ａにＶｃを供給したときの消費電力より小さくなるためには、ＤＣ／ＤＣコンバータの出力をＶｃ×（１−λ）とし、電子回路５０の電源入力の電圧をＶｃからＶｃ（１−λ）に変化させたときの電子回路５０の消費電流の変化がないと仮定すると、式１および式３より、
Ｖｃ×Ｉｃ＞（Ｖｃ（１−λ）×Ｉｃ）／η
すなわち、
η＞（１−λ）
となる。また、電子回路５０の電源入力の電圧をＶｃからＶｃ（１−λ）に変化させたときの電子回路５０の消費電流がＩｃ（１−γ）と仮定すると、式１および式３より、
η＞（１−λ）×（１−γ）
となる。
λ×γは非常に小さいので無視すると、
η＞１−（λ＋γ）
となる。ここで、λ×γは、例えば図４の条件であれば、
λ×γ＝０．０５×０．０３＝０．００１５
となり、λ×γがλ、γに比べて無視できるほど小さいことがわかる。
【００２６】
このように、η＞（１−λ）またはη＞１−（λ＋γ）とすることにより、電子装置６０の消費電力を、従来の電子装置６０ａで外部電源をＶｃとした場合より削減することができる。
【００２７】
図５は、実施例１で用いることのできるＤＣ／ＤＣコンバータの例として降圧型ＤＣ／ＤＣコンバータ２０の詳細を示した図である。ＤＣ／ＤＣコンバータ回路２１はスイッチング回路２２、ＰＷＭ（パルス幅変調）発生回路２４、差動増幅器２６および電圧源２８を有している。ＤＣ／ＤＣコンバータ２０の出力端子ｏｕｔの出力である電圧は、ＤＣ／ＤＣコンバータ２０のフィードバック端子ＦＢに入力する。ＤＣ／ＤＣコンバータ回路２１においては、ＦＢと参照電圧源２８の参照電圧とが差動増幅器２６に入力する。差動増幅器２６はＦＢの電圧と参照電圧源２８の参照電圧とを差動増幅し、その出力をＰＷＭ発生回路２４に出力する。ＰＷＭ発生回路２４は、差動増幅器２６の出力に応じ、スイッチング回路にＰＷＭのためのパルス幅を出力する。スイッチング回路２２はＰＷＭ発生回路２４の出力に基づき、入力端子ｉｎの電圧をスイッチングする。スイッチングされた出力は、インダクタ３６およびキャパシタ３８により高周波成分が除去され、ＤＣとして出力端子ｏｕｔに出力される。
【００２８】
ＤＣ／ＤＣコンバータ２０としては、降圧型ＤＣ／ＤＣコンバータ以外にも、昇圧型ＤＣ／ＤＣコンバータ、Ｂｕｃｋ−Ｂｏｏｓｔ型ＤＣ／ＤＣコンバータを用いることができる。降圧型ＤＣ／ＤＣコンバータを用いる場合は外部電源の電圧は電子回路５０のＶｃに対して高くする。また、昇圧型ＤＣ／ＤＣコンバータを使用する場合は、外部電源の電圧はＶｃに対して低くする。Ｂｕｃｋ−Ｂｏｏｓｔ型ＤＣ／ＤＣコンバータを使用する場合は、外部電源の電圧はＶｃと同程度とする。降圧型ＤＣ／ＤＣコンバータは変換効率が９５％以上のため、実施例１のＤＣ／ＤＣコンバータ２０として適している。Ｂｕｃｋ−Ｂｏｏｓｔ型ＤＣ／ＤＣコンバータは変換効率が９０〜９５％と低いが、外部電源の電圧を電子回路５０と同程度とすることができるため、例えば、従来の電子装置６０ａの互換性を有することができる。
【実施例２】
【００２９】
実施例２はＤＣ／ＤＣコンバータ２０にさらに出力電圧高精度化回路４０を付加した例である。図６は実施例１に係る電子装置のＤＣ／ＤＣコンバータ２０の図５に出力電圧高精度化回路４０が付加された回路である。その他の構成は実施例１と同じであり同じ部材は同じ符号を付し説明を省略する。図６を参照に、ＤＣ／ＤＣコンバータ２０の出力端子ｏｕｔの電圧と参照電圧源４４の参照電圧を差動増幅器４２に入力する。差動増幅器４２の出力をＤＣ／ＤＣコンバータ２０のフィードバック端子ＦＢに入力する。
【００３０】
実施例２によれば、図６のように、出力電圧高精度化回路４０がＤＣ／ＤＣコンバータ２０の出力をＤＣ／ＤＣコンバータ２０のフィードバック端子ＦＢにフィードバックする。これにより、ＤＣ／ＤＣコンバータ２０の出力をより高精度とすることができる。特に、参照電圧源４４をＤＣ／ＤＣコンバータ２０の参照電圧源２８より高精度な電圧源を用いることにより、ＤＣ／ＤＣコンバータ２０は、より高精度な電圧を出力することができる。よって、電子回路５０の電源入力にはよりＶｍｉｎに近い電圧を入力することが可能となる。これより、より電子装置６０の消費電力を削減することができる。
【実施例３】
【００３１】
実施例３はＤＣ／ＤＣコンバータ２０の出力に基づき、ＤＣ／ＤＣコンバータ２０のフィードバック端子ＦＢに電圧を出力する電圧設定回路５２を有する例である。図７は実施例３に係る電子装置６０ｂのブロック図である。実施例３に係る電子装置６０ｂは、図１の従来の電子装置６０と比較し、電圧設定回路５２を有している。その他の構成は実施例１と同じであり同じ部材は同じ符号を付し説明を省略する。図７を参照に、ＤＣ／ＤＣコンバータ２０の出力は電圧設定回路のＡＤコンバータ５８に入力する。ＡＤコンバータ５８は、ＤＣ／ＤＣコンバータ２０の出力をデジタル信号に変換し、外部通信回路５４に出力する。外部通信回路５４は、入力したデジタル信号を電子装置６０ｂの外部または内部のコントローラ６２に出力する。コントローラ６２は、ＤＣ／ＤＣコンバータ２０の出力が変換されたデジタル信号の値に基づき、ＤＣ／ＤＣコンバータ２０の出力が所定の電圧になるように、ＤＣ／ＤＣコンバータ２０のフィードバック端子ＦＢに出力する電圧を計算する。ＤＣ／ＤＣコンバータ２０の出力が所定の電圧を示すデジタル信号を外部通信回路５４に出力する。外部通信回路５４はＤＣ／ＤＣコンバータ２０のフィードバック端子ＦＢに出力する電圧を示すデジタル信号をＤＡコンバータに出力する。ＤＡコンバータ５６は入力したデジタル信号を電圧に変換しＤＣ／ＤＣコンバータ２０に出力する。
【００３２】
実施例３によれば、電圧設定回路５２はＤＣ／ＤＣコンバータ２０の出力の電圧に基づき、ＤＣ／ＤＣコンバータ２０の出力が所定の電圧になるように、ＤＣ／ＤＣコンバータ２０のフィードバック端子ＦＢに電圧を出力する。これにより、実施例２と同様に、ＤＣ／ＤＣコンバータ２０の出力をより高精度とすることができる。よって、電子回路５０の電源入力の電圧の推奨動作条件の下限値により近い電圧を入力することが可能となる。これにより、より電子装置６０ｂの消費電力を削減することができる。実施例２と同様に、電圧設定回路５２は、常時ＤＣ／ＤＣコンバータ２０の出力をＤＣ／ＤＣコンバータ２０のフィードバック端子ＦＢにフィードバックしても良い。また、電子装置６０ｂの電源を投入した際や一定の時間毎（キャリブレーション時）にフィードバック端子ＦＢに出力する電圧を決定しても良い。すなわち、コントローラ６２は、キャリブレーション時にＤＣ／ＤＣコンバータ２０の出力に基づき、ＤＣ／ＤＣコンバータ２０のフィードバック端子ＦＢに出力する電圧を計算する。電圧設定回路５２は次のキャリブレーション時までは、計算した電圧を保持しフィードバック端子ＦＢに出力しても良い。ＤＣ／ＤＣコンバータ２０の出力に基づき、ＤＣ／ＤＣコンバータ２０のフィードバック端子ＦＢにフィードバックするフィードバック回路としては、実施例２の出力電圧高精度化回路４０や実施例３の電圧設定回路５２に限られない。その他のフィードバック回路であってもよい。
【実施例４】
【００３３】
実施例４は、電子装置として光半導体モジュールの例である。図８は実施例４に係る光半導体モジュール１０である。外部電源がＤＣ／ＤＣコンバータ２０に入力する。ＤＣ／ＤＣコンバータ２０の出力は電子回路であるＣＤＲ（Ｃｌｏｃｋ  ａｎｄ  Ｄａｔａ  Ｒｅｃｏｖｅｒｒｙ）１１および１６、Ｌｉｍｉｔｉｎｇアンプ１２、ＲＯＳＡ（Ｒｅｃｅｉｖｅｒ  Ｏｐｔｉｃａｌ  Ｓｕｂ  Ａｓｓｅｍｂｌｙ）１３、ＬＤ（Ｌａｓｅｒ  Ｄｉｏｄｅ）ドライバ１７並びにＴＯＳＡ（Ｔｒａｎｓｍｉｔｔｅｒ  Ｏｐｔｉｃａｌ  Ｓｕｂ  Ａｓｓｅｍｂｌｙ）１８に出力される。ＤＣ／ＤＣコンバータ２０から出力される電圧については、実施例１と同様であり説明を省略する。この光半導体モジュール１０は、電気信号の入力をＴＯＳＡ１８内のレーザダイオードが光信号に変換し光ファイバに出力する。また、光ファイバからの光信号をＲＯＳＡ１３内のフォトダイオードが電気信号に変換し出力する機能を有する。
【００３４】
上記光半導体モジュールは特に低消費電力化の要求が強い。よって、本発明を適用することにより、効率的に消費電力の削減を行うことができる。なお、光半導体モジュールとは、半導体レーザやＬＥＤ等の半導体発光素子、フォトダイオード等の半導体受光素子を有するモジュールである。実施例４以外にも、電気信号を光信号に変換する光半導体モジュール、光信号を電気信号に変換する光半導体モジュールに本発明を適用することができる。また、実施例２または実施例３の電子装置を光半導体モジュールとすることもできる。
【００３５】
実施例１から実施例３の電子装置としては、実施例４において例示した光半導体モジュール以外にも、ノートパソコン、携帯電話、ラジオ、オーディオ、カメラ、ＰＤＡ等の携帯用機器電子装置またはその一部の電子装置に用いることができる。携帯用電子装置は特に低消費電力が求められており、本発明を適用することにより効率的に消費電力の削減を行うことができる。また、カーナビゲーション、カーオーディオ、車載用ＤＶＤ等の車載電子装置またはその一部の電子装置に用いることができる。
【００３６】
電子回路の推奨動作条件は、安定に電子回路を動作できる条件を示すものである。電子回路にその条件の中心値よりも低い電源を供給することは、外部電源の変動によって、電子回路の動作が不安定になってしまうため、これを避けなければならない。ＤＣ／ＤＣコンバータは、本来的には昇圧可能な電源回路であるが、電源の昇圧は、外部電源の電荷を一端コンデンサに蓄えて、電荷を放電することによって実現される。実施例１から実施例３に係る電子装置は、外部電源をＤＣ／ＤＣコンバータを介し供給することで、電源の電圧を安定化させることができる。これにより、電子回路の推奨動作条件の中心値よりも低い電源を電子回路に供給することができる。
【００３７】
以上、本発明の実施例について詳述したが、本発明は係る特定の実施例に限定されるものではなく、特許請求の範囲に記載された本発明の要旨の範囲内において、種々の変形・変更が可能である。
【図面の簡単な説明】
【００３８】
【図１】図１は従来の電子装置を示すブロック図である。
【図２】図２は従来の電子装置に用いられる電源の電圧を説明するための図である。
【図３】図３は実施例１に係る電子装置のブロック図である。
【図４】図４は実施例１に係る電子装置の効果を説明するための図である。
【図５】図５は実施例１に用いるＤＣ／ＤＣコンバータの一例を示すブロック図である。
【図６】図６は実施例２に係る電子装置のＤＣ／ＤＣコンバータ付近を示すブロック図である。
【図７】図７は実施例３に係る電子装置のブロック図である。
【図８】図８は実施例４の光半導体モジュールを示すブロック図である。
【符号の説明】
【００３９】
１０                光半導体モジュール
２０                ＤＣ／ＤＣコンバータ
４０                出力電圧高精度化回路
５０                電子回路
６０、６０ａ，６０ｂ電子装置
ＦＢ                ＤＣ／ＤＣコンバータのフィードバック端子
ｉｎ                ＤＣ／ＤＣコンバータの入力端子
ｏｕｔ              ＤＣ／ＤＣコンバータの出力端子
【図１】
0004650947.tif 000002
【図２】
0004650947.tif 000003
【図３】
0004650947.tif 000004
【図４】
0004650947.tif 000005
【図５】
0004650947.tif 000006
【図６】
0004650947.tif 000007
【図７】
0004650947.tif 000008
【図８】
0004650947.tif 000009